(57)【要約】【課題】間取図作成にＣＡＤ系ソフトを必要とせず、入居予定者が間取図を自作せずに、家具レイアウトをシミュレーションできる方法を得る。【解決手段】家具シミュレーションサービス提供事業者１が管理し、間取図データベース３を有するＷｅｂサーバー２が、通信手段によりインターネット６を介して家具レイアウトシミュレーションサイト２Ａにアクセスする間取図登録ユーザー４が、二次元ラスターデータの物件間取図および縮尺等の属性情報に関する登録をする物件間取図登録ステップ２１〜２４、同サイト２Ａにアクセスするシミュレーションユーザー４０が間取図ＤＢ３から希望の間取図を検索するステップ２５ａと、シミュレーションユーザー４０が抽出された間取図に対して編集プログラム１３に基づいてパーツＤＢ１１またはメーカー家具・楽器ＤＢ１２から選択した家具等をレイアウトするステップ２５とよりなる。【選択図】図１
2006163721.tif 000002
【特許請求の範囲】
【請求項１】
不動産物件の入居希望者が希望物件の間取図に対してパーソナルコンピュータのディスプレイ上で、好みの家具を仮想的にレイアウトする家具レイアウトシミュレーション方法において、
家具シミュレーションサービスのサービス提供事業者が管理し、間取図データベースを有するＷｅｂサーバーが、通信手段によりインターネットを介して家具レイアウトシミュレーションサイトにアクセスした希望者のＰＣディスプレイにトップページを画面表示するステップと、
前記Ｗｅｂサーバーが、間取図登録希望者またはシミュレーション希望者のＩＤ未登録者に新規ユーザー登録を促すユーザー登録ページを希望者のＰＣディスプレイに画面表示するステップと、
前記Ｗｅｂサーバーが、ユーザー登録した新規ユーザーにＩＤを付与および通知するとともに、間取図登録ユーザーおよびシミュレーションユーザーの情報をそれぞれの登録ユーザーデータベースに保存するステップと、
前記Ｗｅｂサーバーが、提示した家具レイアウトシミュレーションサイトにおけるＩＤ認証後に、間取図登録ユーザーが登録しようとする二次元ラスターデータの物件間取図および縮尺等の属性情報に関する登録を促す物件間取図登録ページを認証ユーザーのＰＣディスプレイに画面表示する物件間取図登録ステップと、
前記Ｗｅｂサーバーが、登録設定された物件間取図を前記間取図データベースに格納するステップと、
前記Ｗｅｂサーバーが、表示した家具レイアウトシミュレーションサイトにおけるＩＤ認証後、シミュレーションユーザーにシミュレーションしたい物件に関する検索入力を促す物件検索入力ページを認証ユーザーのＰＣディスプレイに画面表示するステップと、
前記Ｗｅｂサーバーが、シミュレーションユーザーの検索入力に対応する間取図データを前記物件間取図データベースから検索するステップと、
前記Ｗｅｂサーバーが、編集プログラムの下に、検索した間取図とともに、この間取図データにドラッグ＆ドロップでコピー＆ペーストを可能にし、パーツデータベースに格納した間取図縮尺対応寸法の二次元図形データの家具パーツ群から所要の家具パーツを選択可能にする編集ツールパレットを提示するシミュレーションページを認証ユーザーのＰＣディスプレイに画面表示するシミュレーションステップと
よりなることを特徴とする家具レイアウトシミュレーション方法。
【請求項２】
前記物件間取図データ登録ステップは、
前記Ｗｅｂサーバーが、表示した家具レイアウトシミュレーションサイトにおけるＩＤ認証後に、間取図登録ユーザーに、スキャナ等で入力保存した電子的二次元ラスターデータ形式の間取図であって間取図登録ユーザーが登録しようとする間取図の保存ディレクトリ情報指定および属性情報入力を促す間取図新規登録ページを認証ユーザーのＰＣディスプレイに画面表示するステップと、
前記Ｗｅｂサーバーが、指定および入力された間取図および属性情報を提示して確認を促す登録確認ページを認証ユーザーのＰＣディスプレイに画面表示するステップと、
前記Ｗｅｂサーバーが、確認された登録物件間取図を提示し、この間取図の向きおよび傾きの補正を間取図登録ユーザーに促す向きおよび傾き補正ページを認証ユーザーのＰＣディスプレイに画面表示するステップと、
前記Ｗｅｂサーバーが、向きおよび傾きの補正された物件間取図を提示し、寸法指定したい２点の指定および指定した２点間の実寸寸法の入力を間取図登録ユーザーに促す縮尺調整ページを認証ユーザーのＰＣディスプレイに画面表示するステップと
縮尺調整した物件間取図および属性情報を前記間取図データベースに格納するステップと
を含むものとした請求項１記載の家具レイアウトシミュレーション方法。
【請求項３】
前記Ｗｅｂサーバーは、前記サービス提供事業者とタイアップする家具または楽器メーカーが登録した間取図縮尺対応寸法の家具または楽器の図形パーツを格納するメーカー家具・楽器データベースを有するものとして構成し、
前記Ｗｅｂサーバーが、前記シミュレーションステップの前記編集ツールパレットに、メーカー家具・楽器データベースにアクセスするリンクボタンを認証ユーザーのＰＣディスプレイに提示するものとした請求項１または２記載の家具レイアウトシミュレーション方法。
【請求項４】
前記シミュレーションステップは、
前記Ｗｅｂサーバーが、編集ツールパレットにおけるドロップダウンメニューのオリジナルパーツが選択されたとき、シミュレーションユーザーに、家具パーツ名、寸法および形状の入力を促し、入力された寸法および形状の図形パーツをリスト提示するオリジナルパーツ登録ページを認証ユーザーのＰＣディスプレイに画面表示するステップと、
前記Ｗｅｂサーバーが登録するオリジナルパーツをパーツデータベースに格納する、もしくは前記Ｗｅｂサーバーが認証ユーザーに付与したＣｏｏｋｉｅ情報を登録するオリジナルパーツに関連付けして認証ユーザーのＰＣのメモリ手段に格納するステップと
を含むものとし、編集ツールパレットにおけるドロップダウンメニューのオリジナルパーツが選択されたとき、前記Ｗｅｂサーバーがパーツデータベースを検索して、もしくはＷｅｂサーバーが付与したＣｏｏｋｉｅ情報を基にしＷｅｂブラウザ上に提示するオリジナルパーツの図形をドロップ＆ドラッグのコピー＆ペーストを可能にした請求項１乃至３のうちのいずれか一項に記載の家具レイアウトシミュレーション方法。
【請求項５】
前記シミュレーションステップは、
前記Ｗｅｂサーバーが、編集ツールパレットにおけるドロップダウンメニューに間取りパーツを選択肢に加え、この間取りパーツが選択されたとき、シミュレーションユーザーに、間取りパーツ名、寸法および形状の入力を促し、入力された寸法および形状の間取りパーツをリスト提示する間取りパーツ登録ページを認証ユーザーのＰＣディスプレイに画面表示するステップと、
前記Ｗｅｂサーバーが、編集ツールパレットにおけるドロップダウンメニューにおける間取りパーツの選択肢を選択されたときサービス提供事業者が予めパーツデータベースに格納した間取りパーツの図形をドロップ＆ドラッグのコピー＆ペーストを可能にした請求項１乃至４のうちのいずれか一項に記載の家具レイアウトシミュレーション方法。
【請求項６】
前記Ｗｅｂサーバーは、ユーザー登録ページにおいて、スキャナ設備のない間取図登録希望者に対して、番号通知設定したＦＡＸ番号、メールアドレス、および氏名等の個人情報の入力を促し、ユーザー登録した新規ユーザーのＩＤをＦＡＸ番号とし、ＦＡＸ送信された間取図に参照通番を付与し、この参照通番を付与された間取図をＷｅｂサーバーにおける参照可能なＦＡＸ間取図データベースに格納するステップを有するものとした請求項１乃至５のうちのいずれか一項に記載の家具レイアウトシミュレーション方法。
【発明の詳細な説明】
【技術分野】
【０００１】
本発明は、不動産物件の入居希望者が希望物件の間取図に対してパーソナルコンピュータ（以下「ＰＣ」と略称する）のディスプレイ上で、好みの家具を仮想的にレイアウトする家具レイアウトシミュレーション方法に関するものである。
【背景技術】
【０００２】
このような家具レイアウトシミュレーション方法としては、利用者側のクライアント端末に室内レイアウト作成手段がインストールされている場合は、そのインストールされている室内レイアウト作成手段を使用し、利用者側のクライアント端末に室内レイアウト作成手段がインストールされていない場合は、サーバー側の室内レイアウト作成手段を使用し、まず室内の大きさと間取りを入力して間取図を作成し、つぎに、情報提供者から登録された家具情報データベースにアクセスして壁紙などの室内装飾の部品データや家具を室内に配置してレイアウトを完成させるものがある。（例えば、特許文献１参照。）
【特許文献１】特開２００１‐２０９６７２号公報
【０００３】
他の従来の家具レイアウトシミュレーション方法としては、賃貸物件の貸主あるいは仲介業者のクライアント端末がサーバーにアクセスしたとき、間取図設計ソフトウェアを利用できるスケール表示付きグリッド２次元ＣＡＤ画面がブラウザ上に表示され、賃貸物件の貸主あるいは仲介業者クライアント自身がグリッド単位で、グリッドに沿ってマウスをクリックしつつ移動したり、グリッド交点をマウスクリックしたりして間取図を作成し、２Ｄ間取図が完成したとき「立体間取」ボタンをマウスクリックすると３次元表示の命令がサーバーに送られ、３次元表示ソフトウェアが起動し、２Ｄ間取図を３次元化し、立体間取図がユーザーもしくはクライアントのブラウザに表示され、この３次元間取図を諸属性情報とともにデータベースに保存するものがある。（例えば、特許文献２参照。）この特許文献２に記載の家具レイアウトシミュレーション方法は、入居予定者のクライアント端末がサーバーにアクセスして入居予定の３次元間取図を検索表示し、これに対して、インテリアシミュレーションソフトを使用し、インテリア関連データベースに格納された家具や内装材のインテリアを配置して３次元表示する。
【特許文献２】特開２００２‐９２１２６号公報
【発明の開示】
【発明が解決しようとする課題】
【０００４】
しかし、従来の家具レイアウトシミュレーション方法は、利用者側のクライアント端末で、利用者自らが、ＣＡＤ系の室内レイアウト作成手段や間取図設計ソフトウェアを使用し、先ず間取図を作成する必要がある。即ち、専用ソフトを用意し、かつ間取図を自作する手間と時間が必要である。
【０００５】
したがって、本発明の目的は、間取図作成にＣＡＤ系ソフトを必要とせず、入居予定者が間取図を自作せずに、家具レイアウトをシミュレーションできる方法を得るにある。
【課題を解決するための手段】
【０００６】
この目的を達成するため、本発明家具レイアウトシミュレーション方法は、
家具シミュレーションサービスのサービス提供事業者が管理し、間取図データベースを有するＷｅｂサーバーが、通信手段によりインターネットを介して家具レイアウトシミュレーションサイトにアクセスした希望者のＰＣディスプレイにトップページを画面表示するステップと、
前記Ｗｅｂサーバーが、間取図登録希望者またはシミュレーション希望者のＩＤ未登録者に新規ユーザー登録を促すユーザー登録ページを希望者のＰＣディスプレイに画面表示するステップと、
前記Ｗｅｂサーバーが、ユーザー登録した新規ユーザーにＩＤを付与および通知するとともに、間取図登録ユーザーおよびシミュレーションユーザーの情報をそれぞれの登録ユーザーデータベースに保存するステップと、
前記Ｗｅｂサーバーが、提示した家具レイアウトシミュレーションサイトにおけるＩＤ認証後に、間取図登録ユーザーが登録しょうとする二次元ラスターデータの物件間取図および縮尺等の属性情報に関する登録を促す物件間取図登録ページを認証ユーザーのＰＣディスプレイに画面表示する物件間取図登録ステップと、
前記Ｗｅｂサーバーが、登録設定された物件間取図を前記間取図データベースに格納するステップと、
前記Ｗｅｂサーバーが、表示した家具レイアウトシミュレーションサイトにおけるＩＤ認証後、シミュレーションユーザーにシミュレーションしたい物件に関する検索入力を促す物件検索入力ページを認証ユーザーのＰＣディスプレイに画面表示するステップと、
前記Ｗｅｂサーバーが、シミュレーションユーザーの検索入力に対応する間取図データを前記物件間取図データベースから検索するステップと、
前記Ｗｅｂサーバーが、編集プログラムの下に、検索した間取図とともに、この間取図データにドラッグ＆ドロップでコピー＆ペーストを可能にし、パーツデータベースに格納した間取図縮尺対応寸法の二次元図形データの家具パーツ群から所要の家具パーツを選択可能にする編集ツールパレットを提示するシミュレーションページを認証ユーザーのＰＣディスプレイに画面表示するシミュレーションステップと
よりなることを特徴とする
【発明の効果】
【０００７】
本発明によれば、間取図データベースに格納する間取図は、二次元ラスターデータであるため、わざわざＣＡＤ系の間取図作成ソフトウェアは不要で、しかもこのＣＡＤ系専用ソフトウェアを使用して間取図を自作する必要はなく、ハードコピーされている既存の間取図を単にスキャナで読み込んだり、ＢＰＭ形式、ＪＰＥＧ形式等のラスターデータ形式に変換して保存したり、ＦＡＸ送信したりするだけで済む。
【０００８】
また、このようにして既存の間取図から登録されたＢＰＭ形式、ＪＰＥＧ形式等の二次元ラスターデータの物件間取図は、Ｗｅｂサーバーにより物件間取図データベースから検索され、Ｗｅｂサイトのシミュレーションページ上に表示され、シミュレーションユーザーが、編集ツールパレットを使用して、ドラッグ＆ドロップのコピー＆ペーストで家具または楽器のパーツを自在にレイアウトし、入居前にどういう風にレイアウトしたらよいかのシミュレーションを行うことができる。
【発明を実施するための最良の形態】
【０００９】
本発明家具レイアウトシミュレーション方法の好適な実施例においては、
物件間取図データ登録ステップは、
前記Ｗｅｂサーバーが、表示した家具レイアウトシミュレーションサイトにおけるＩＤ認証後に、スキャナ等で入力保存した電子的二次元ラスターデータ形式の間取図であって間取図登録ユーザーが登録しようとする間取図の保存ディレクトリ情報の指定および属性情報の入力を促す間取図新規登録ページを認証ユーザーのＰＣディスプレイに画面表示するステップと、
前記Ｗｅｂサーバーが、指定および入力された間取図および属性情報を提示して確認を促す登録確認ページを認証ユーザーのＰＣディスプレイに画面表示するステップと、
前記Ｗｅｂサーバーが、確認された登録物件間取図を提示し、この間取図の向きおよび傾きの補正を間取図登録ユーザーに促す向きおよび傾き補正ページを認証ユーザーのＰＣディスプレイに画面表示するステップと、
前記Ｗｅｂサーバーが、向きおよび傾きの補正された物件間取図を提示し、寸法指定したい２点の指定および指定した２点間の実寸寸法の入力を間取図登録ユーザーに促す縮尺調整ページを認証ユーザーのＰＣディスプレイに画面表示するステップと
縮尺調整した物件間取図および属性情報を前記間取図データベースに格納するステップと
を含むものとする。
【００１０】
また、本発明家具レイアウトシミュレーション方法の好適な実施例においては、
前記Ｗｅｂサーバーは、前記サービス提供事業者とタイアップする家具または楽器メーカーが登録した間取図縮尺対応寸法の家具または楽器の図形パーツを格納するメーカー家具・楽器データベースを有するものとして構成し、
前記Ｗｅｂサーバーが、前記シミュレーションステップの編集ツールパレットに、前記家具・楽器データベースにアクセスするリンクボタンを提示するものとする。
【００１１】
さらに、本発明家具レイアウトシミュレーション方法の好適な実施例においては、
前記シミュレーションステップは、
前記Ｗｅｂサーバーが、編集ツールパレットにおけるドロップダウンメニューのオリジナルパーツが選択されたとき、シミュレーションユーザーに、家具パーツ名、寸法および形状の入力を促し、入力された寸法および形状の図形パーツをリスト提示するオリジナルパーツ登録ページを認証ユーザーのＰＣディスプレイに画面表示するステップと、
前記Ｗｅｂサーバーが登録するオリジナルパーツをパーツデータベースに格納する、もしくは前記Ｗｅｂサーバーが認証ユーザーに付与したＣｏｏｋｉｅ情報を登録するオリジナルパーツに関連付けして認証ユーザーのＰＣのメモリ手段に格納するステップと
を含むものとし、編集ツールパレットにおけるドロップダウンメニューのオリジナルパーツが選択されたとき、前記Ｗｅｂサーバーが、パーツデータベースを検索して、もしくはＷｅｂサーバーが付与したＣｏｏｋｉｅ情報を基にしＷｅｂブラウザ上に提示するオリジナルパーツの図形をドロップ＆ドラッグのコピー＆ペーストを可能にする。
【００１２】
さらに、本発明家具レイアウトシミュレーション方法の好適な実施例においては、
前記シミュレーションステップは、
前記Ｗｅｂサーバーが、編集ツールパレットにおけるドロップダウンメニューにおける間取りパーツの選択肢を選択されたときサービス提供事業者が予めパーツデータベースに格納した間取りパーツの図形をドロップ＆ドラッグのコピー＆ペーストを可能にする。
【００１３】
さらに、本発明家具レイアウトシミュレーション方法の好適な実施例においては、
前記Ｗｅｂサーバーは、ユーザー登録ページにおいて、スキャナ設備のない間取図登録希望者に対して、番号通知設定したＦＡＸ番号、メールアドレス、および氏名等の個人情報の入力を促し、ユーザー登録した新規ユーザーのＩＤをＦＡＸ番号とし、ＦＡＸ送信された間取図に参照通番を付与し、この参照通番を付与された間取図をＷｅｂサーバーにおける参照可能なＦＡＸ間取図データベースに格納するステップを有するものとする。
【００１４】
次に、図面につき本発明の好適な実施例を説明する。
【実施例】
【００１５】
図１に、本発明家具レイアウトシミュレーション方法の概要を示す。本発明家具レイアウトシミュレーション方法によれば、家具シミュレーションサービスのサービス提供事業者１が管理するＷｅｂサーバー２を設ける。このＷｅｂサーバー２は間取図データベース３を有する。（以下データベースは「ＤＢ」と略称する。）
【００１６】
Ｗｅｂサーバー２が開示する家具レイアウトシミュレーションサイト２Ａに、例えば、サイトを利用したい間取図登録希望者４、またはシミュレーション希望者４０がパーソナルコンピュータ（以下「ＰＣ」と略称する）５または５０で、通信手段６Ａおよびインターネット６を介してアクセスすると、Ｗｅｂサーバー２によって、ＰＣディスプレイ５Ａまたは５０Ａにはトップページ７が画面表示される。
【００１７】
間取図登録希望者４、またはシミュレーション希望者４０がＩＤ未登録者である場合、Ｗｅｂサーバー２は、新規ユーザー登録を促すユーザー登録ページ８を、希望者４または４０のＰＣディスプレイ５Ａまたは５０Ａに画面表示する。
【００１８】
ユーザー登録ページ８上で必要なユーザー情報のユーザー登録入力を受信したＷｅｂサーバー２は、ユーザー登録入力した新規ユーザーに対して、ＩＤを付与および通知するとともに、間取図登録ユーザー４またはシミュレーションユーザー４０の登録情報をそれぞれの登録ユーザーＤＢ即ち、間取図登録ユーザーＤＢ９またはシミュレーションユーザーＤＢ１０に保存する。
【００１９】
家具レイアウトシミュレーションサイト２Ａで、アクセスしたユーザー登録済みの間取図登録ユーザー４のＩＤ認証が行われた後、Ｗｅｂサーバー２は、二次元ラスターデータの物件間取図および縮尺等の属性情報に関する登録を促すページ２１〜２４を認証ユーザーである間取図登録ユーザー４が操作するＰＣディスプレイ５Ａに画面表示する（物件間取図登録ステップ）。
【００２０】
本発明の好適な実施例においては、この物件間取図登録ステップは、まず、図２（ａ）に示すように、  スキャナ等で入力保存した電子的二次元ラスターデータ形式の間取図であって間取図登録ユーザー４が登録しようとする間取図の保存ディレクトリ情報指定および属性情報入力を促す間取図新規登録ページ２１をＰＣディスプレイ５Ａ上に画面表示する。間取図登録ユーザー４自体が有するＣＡＤ系ソフトウェアで作成した間取図は、ベクター→ラスター変換するか、プリントアウトしたハードコピーをスキャナで読み込んだ二次元ラスターデータとして、ＰＣ５の所定のディレクトリに保存する。
【００２１】
つぎに、物件間取図データ登録ステップは、図２（ｂ）に示すように、指定および入力された間取図および属性情報を提示して確認を促す登録確認ページ２２をＰＣディスプレイ４Ａに画面表示する。登録確認ページ２２に表示される間取図が傾いていたり、向きを変更したいとき、間取図登録ユーザー４の指示に基づいて、Ｗｅｂサーバー２は、図３（ａ）および（ｂ）に示すように、この間取図の向きおよび傾きの補正を間取図登録ユーザー４に促す向きおよび傾き補正ページ２３を、間取図登録ユーザー４のＰＣディスプレイ５Ａに画面表示する。
【００２２】
つぎに、Ｗｅｂサーバー２は、図４に示すように、向きおよび傾きの補正された物件間取図を提示し、寸法指定したい２点をクリックし、画面表示におけるクリックした２点間のピクセル数をＰＣ５に記憶させ、さらに、指定した２点間の実寸寸法の入力を間取図登録ユーザー４に促す縮尺調整ページ２４を、間取図登録ユーザー４のＰＣディスプレイ５Ａに画面表示し、最終的に、画面上の寸法と実寸寸法より算出した比率で縮尺調整した物件間取図および属性情報を間取図データベース３に格納する。
【００２３】
一方、家具レイアウトシミュレーションサイト２Ａにアクセスしたユーザー登録済みのシミュレーションユーザー４０に対しては、Ｗｅｂサーバー２は、シミュレーションユーザーＤＢ１０を参照してＩＤ認証後に、シミュレーションしたい物件に関する検索入力を促す物件検索入力ページ２５ａ（図１参照）を認証ユーザーであるシミュレーションユーザー４０のＰＣディスプレイ５０Ａに画面表示する（物件検索ステップ）。
【００２４】
シミュレーションユーザーの検索入力に応答して，Ｗｅｂサーバー２は、検索入力に対応する間取図データを物件間取図ＤＢ３から検索し、図５に示すように、Ｗｅｂサーバー２は、シミュレーションページ２５をシミュレーションユーザーのＰＣディスプレイ５０Ａに画面表示する。このシミュレーションページ２５は、編集プログラム１３の下に、検索した間取図２５Ａとともに、この間取図データ２５Ａにドラッグ＆ドロップでコピー＆ペーストを可能にし、パーツＤＢ１１に格納した間取図縮尺対応寸法の二次元図形データの家具パーツ群から所要の家具パーツを選択可能にする編集ツールパレット２５Ｂを提示する（シミュレーションステップ）。
【００２５】
さらに、Ｗｅｂサーバー２は、サービス提供事業者１とタイアップする家具または楽器メーカーが登録した間取図縮尺対応寸法の家具または楽器の図形パーツを格納するメーカー家具・楽器ＤＢ１２を有するものとして構成する。シミュレーションステップの編集ツールパレット２５Ｂには、メーカー家具・楽器ＤＢ１２にアクセスするリンクボタン２５Ｃを提示する。
【００２６】
シミュレーションステップにおいては、編集ツールパレットにおけるドロップダウンメニューのオリジナルパーツが選択されたとき、図６に示すように、Ｗｅｂサーバー２は、家具パーツ名、寸法および形状の入力を促し、入力された寸法および形状の図形パーツをリスト提示するオリジナルパーツ登録ページ２６を認証ユーザーであるシミュレーションユーザー４０のＰＣディスプレイ５０Ａに画面表示し、登録したオリジナルパーツをパーツＤＢ１１に格納する。もしくはＷｅｂサーバー２が認証ユーザーに付与したＣｏｏｋｉｅ情報を登録するオリジナルパーツに関連付けして認証ユーザーのＰＣ４０のメモリ手段に格納する。編集ツールパレットにおけるドロップダウンメニューのオリジナルパーツが選択されたとき、パーツＤＢ１１を検索して編集ツールパレット２５Ｂに提示される、もしくはＷｅｂサーバーが付与したＣｏｏｋｉｅ情報を基にしＷｅｂブラウザ上に提示されるオリジナルパーツの図形を間取図２５Ａにドロップ＆ドラッグのコピー＆ペーストができる。
【００２７】
本発明の好適な実施例においては、シミュレーションステップの編集ツールパレットにおけるドロップダウンメニューに間取りパーツ（「和室→洋室」などの居室の形状変更）を選択肢に加え、この間取りパーツが選択されたとき、Ｗｅｂサーバー２は、サービス提供事業者によって予めパーツＤＢ１１に格納されている間取りパーツの図形を、間取図２５Ａ（図５参照）にドロップ＆ドラッグのコピー＆ペーストすることを可能にする。
【００２８】
さらに、本発明の好適な実施例においては、Ｗｅｂサーバー２は、ユーザー登録ページ８において、スキャナ設備のない間取図登録希望者に対して、番号通知設定したＦＡＸ番号、メールアドレス、および氏名等の個人情報の入力を促し、ユーザー登録した新規ユーザーのＩＤをＦＡＸ番号とし、ＦＡＸ１４により通信回線１５を介して送信された間取図に参照通番を付与し、この参照通番を付与された間取図をＷｅｂサーバー２における参照可能なＦＡＸ間取図ＤＢ１６に格納するものとする。
【００２９】
このように、本発明家具レイアウトシミュレーション方法によれば、家具シミュレーションを行う間取図は、従来のようにＣＡＤ系ソフトウェアをＷｅｂサーバーに組み込むことなく単に、既存ハードコピーをスキャナで読み込んだ、またはＦＡＸ送信された電子的二次元ラスターデータ形式のものでよいため、シミュレーションユーザーは、Ｗｅｂサーバー上で間取図を自作する手間と時間をかける必要はない。
【００３０】
また、本発明家具レイアウトシミュレーション方法によれば、高価なＣＡＤ系ソフトウェアを開発し、Ｗｅｂサーバー２に組み込んだり、間取り一つ一つを作り込んだりしないため、システム全体のコストが安価になる。
【産業上の利用可能性】
【００３１】
本発明家具レイアウトシミュレーション方法は、新築・中古の不動産仲介業者の販売促進に利用できる。
【図面の簡単な説明】
【００３２】
【図１】本発明家具レイアウトシミュレーション方法の概要を示す説明図である。
【図２】（ａ）は物件間取図登録ステップの間取図新規登録ページにおけるデータ入力画面、（ｂ）は物件間取図登録ステップの間取図新規登録ページにおける入力データ確認画面の説明図である。
【図３】（ａ）は物件間取図登録ステップの傾き補正ページにおける補正をかける前の画面、（ｂ）は補正をかけた後の画面の説明図である。
【図４】（ａ）は物件間取図登録ステップの縮尺調整前の入力画面、（ｂ）は縮尺修正後の画面の説明図である。
【図５】シミュレーションページの説明図である。
【図６】オリジナルパーツ登録ページの説明図である。
【符号の説明】
【００３３】
１  サービス提供事業者
２  Ｗｅｂサーバー
２Ａ  家具レイアウトシミュレーションサイト
３  間取図データベース
４  間取図登録希望者または間取図登録ユーザー
５  パーソナルコンピュータ（「ＰＣ」）
５Ａ  ＰＣディスプレイ
６  インターネット
６Ａ  通信手段
７  トップページ
８  ユーザー登録ページ
９  間取図登録ユーザーＤＢ
１０  シミュレーションユーザーＤＢ
１１  パーツＤＢ
１２  メーカー家具・楽器ＤＢ
１３  編集プログラム
１４  ＦＡＸ
１５  通信回線
１６  ＦＡＸ間取図ＤＢ
２１  間取図新規登録ページ
２２  登録確認ページ
２３  向きおよび傾き補正ページ
２４  縮尺調整ページ
25ａ  物件検索入力ページ
２５  シミュレーションページ
25Ａ  間取図データ
25Ｂ  編集ツールパレット
25Ｃ  リンクボタン
２６  オリジナルパーツ登録ページ
４０  シミュレーション希望者またはシミュレーションユーザー
50Ａ  ＰＣディスプレイ
【図１】
2006163721.tif 000003
【図２】
2006163721.tif 000004
【図３】
2006163721.tif 000005
【図４】
2006163721.tif 000006
【図５】
2006163721.tif 000007
【図６】
2006163721.tif 000008